(57)【要約】【課題】従来に比べて光の入射角を大きくした場合であっても光信号を受信することができる受光ユニット及び電気機器を提供する。【解決手段】照明装置は、シャーシを備え、シャーシは天井等に取り付け、シャーシには、透光カバーを取り付けてある。透光カバーの中央部には着脱可能なセンタカバーを取り付けてある。また、センタカバーには、受光ユニット４を設けてある。受光ユニット４は、光を受光する受光部２０、及び受光部２０へ光を入射させるため受光部２０から適長離隔して配置された円錐台状のレンズ１０を備える。レンズ１０は、入射面１１及び出射面１２と、入射面１１から出射面１２に向かってテーパ状に拡径した周側部１３とを備える。【選択図】図４
2013016639.tif 000002
【特許請求の範囲】
【請求項１】
光を受光する受光部と、該受光部へ光を入射させるため該受光部に対向して配置された円錐台状のレンズとを備え、
前記レンズは、
光の入射面から前記受光部へ光を出射する出射面に向かってテーパ状に拡径した周側部を備えることを特徴とする受光ユニット。
【請求項２】
前記入射面を凹面にしてあることを特徴とする請求項１に記載の受光ユニット。
【請求項３】
前記周側部のテーパ角は、８°から１９°の範囲内にあることを特徴とする請求項１又は請求項２に記載の受光ユニット。
【請求項４】
請求項１から請求項３までのいずれか１項に記載の受光ユニットと、該受光ユニットで受光して得られた制御信号に基づいて動作を制御する制御部とを備えることを特徴とする電気機器。
【発明の詳細な説明】
【技術分野】
【０００１】
本発明は、遠隔操作装置からの光を受光する受光ユニット及び該受光ユニットを備える電気機器に関する。
【背景技術】
【０００２】
住宅の室内用の照明装置としては、従来、白熱電球、蛍光灯などの光源を備えるものが用いられている。一方で、近年、発光ダイオード（ＬＥＤ）の高輝度化に伴い、白熱電球や蛍光灯などの光源に代えて、低消費電力、長寿命等の特性を有するＬＥＤが照明装置の光源として用いられるようになりつつある。
【０００３】
このような照明装置では、ワイヤレスリモートコントロールなどの遠隔操作装置からの光信号（例えば、赤外光）を受光部で受光して、照明装置の点灯・消灯の制御、調色制御又は調光制御などを行うようにして利用者の利便性を向上させたものがある。また、このような遠隔操作装置による操作は、照明装置に限らず様々な家電製品や電気機器で用いられている。
【０００４】
例えば、器具本体にリモコン装置からの光信号を受信する受信部を設け、器具本体の表面に設けた受光レンズを通過して入射する光信号を受光レンズ近傍から受信部まで案内する受光ガイドを設け、受光ガイドの外表面で光信号を全反射させることにより受光感度を低下させないワイヤレスリモコンの受信装置が開示されている（特許文献１参照）。
【先行技術文献】
【特許文献】
【０００５】
【特許文献１】実開平６−７３３８号公報
【発明の概要】
【発明が解決しようとする課題】
【０００６】
しかし、特許文献１の装置にあっては、受光ガイドは、入射した光を外表面で全反射させて受光レンズ近傍から受信部まで案内することができるものの、受光レンズへの入射角が大きくなると、受光ガイドの外表面で反射する角度（外表面と反射光との角度）が小さくなる。このため、外表面で反射した光が受光レンズの出射面に入射する角度が大きくなり全反射するため出射面を透過することができず、受光量が低下するため、受光レンズへの入射角を大きくした場合に、受信部は光信号を受信することができない。
【０００７】
本発明は斯かる事情に鑑みてなされたものであり、従来に比べて光の入射角を大きくした場合であっても光信号を受信することができる受光ユニット及び該受光ユニットを備える電気機器を提供することを目的とする。
【課題を解決するための手段】
【０００８】
本発明に係る受光ユニットは、光を受光する受光部と、該受光部へ光を入射させるため該受光部に対向して配置された円錐台状のレンズとを備え、前記レンズは、光の入射面から前記受光部へ光を出射する出射面に向かってテーパ状に拡径した周側部を備えることを特徴とする。
【０００９】
本発明にあっては、受光部へ光を入射させるため受光部に対向して配置された円錐台状のレンズを備える。例えば、受光部の中心を通る光軸と円錐台状のレンズの光軸とが一致するようにレンズを受光部に対して配置する。レンズは、入射面から出射面に向かってテーパ状に拡径した周側部を備える。レンズの入射面へ入射した光は、レンズ内部を通過して出射面から出射して受光部へ入射する。なお、レンズの入射面に入射する光の方向とレンズの光軸方向とのなす角を入射角と称する。
【００１０】
入射角が大きい（例えば、３０°を超える）光がレンズの入射面に入射した場合でも、入射光の周側部内面での入射角は、周側部が入射面から出射面に向かって拡径するようにテーパ状をなすので、テーパがない場合に比べて大きくすることができ、レンズに入射した光を周側部で全反射させることができる。全反射した光は、レンズの出射面を通過して受光部へ入射する。これにより、入射角が大きな光が入射した場合でも入射光を受光部で受光させることができるので、従来に比べて光の入射角を大きくすることができる。
【００１１】
本発明に係る受光ユニットは、前記入射面を凹面にしてあることを特徴とする。
【００１２】
本発明にあっては、入射面を凹面にしてある。凹面は、例えば、円形状の入射面の径方向に沿って中心に向かって深さが深くなるような形状である。入射面が凹面でなく平坦面である場合、入射角が４５°近傍で入射光がレンズの周側部へ入射せずに出射面から直接レンズ外へ出射し受光部へ入射させることができない。入射面を凹面にすることにより、入射角が４５°近傍である場合でも入射面へ入射した光を周側部へ導いて周側部で全反射させて受光部へ入射させることができる。
【００１３】
また、入射面を凹面にすることにより、入射面が平坦面である場合に比べてフレネル反射によるレンズの入射面での反射率の増加を抑制することができ、結果として受光部に到達する受光量を多くすることができる。また、入射面が凹面であるので、レンズの入射面に入射した入射光がレンズの出射面から出射する方向を広げることができ、例えば、レンズと受光部との光軸のずれ、あるいはレンズと受光部との取付間隔などの取付誤差が生じてもレンズから出射する出射光を受光部へ入射させることができるので、前述の取付誤差に対する許容度が高くなり、装置の機械的設計が容易になる。
【００１４】
本発明に係る受光ユニットは、前記周側部のテーパ角は、８°から１９°の範囲内にあることを特徴とする。
【００１５】
本発明にあっては、周側部のテーパ角は、８°から１９°の範囲内にある。テーパ角は、周側部の光軸方向に対する傾き角度である。テーパ角が８°より小さい場合には、レンズの出射面で全反射する光が増加するので、受光部へ入射する光が減少する。また、テーパ角が１９°より大きい場合には、レンズの周側部で全反射した光の一部が出射面から受光部の方向と異なる方向へ出射するので、受光部へ入射する光が減少する。周側部のテーパ角は、８°から１９°の範囲内にすることにより、受光部へ入射する光量の低下を抑制することができる。
【００１６】
本発明に係る電気機器は、前述の発明のいずれか１つに係る受光ユニットと、該受光ユニットで受光して得られた制御信号に基づいて動作を制御する制御部とを備えることを特徴とする。
【００１７】
本発明にあっては、従来に比べて光の入射角を大きくすることができる電気機器を提供することができる。
【発明の効果】
【００１８】
本発明によれば、入射角が大きな光が入射した場合でも入射光を受光部で受光させることができる。
【図面の簡単な説明】
【００１９】
【図１】本実施の形態の照明装置の構成の一例を示す外観図である。
【図２】本実施の形態の照明装置の構成の要部一例を示す断面図である。
【図３】図２の符号Ａで示す部分の要部拡大図である。
【図４】本実施の形態の受光ユニットの配置を示す模式図である。
【図５】入射角αが０°である場合の入射光の様子を示す模式図である。
【図６】入射角αが１５°である場合の入射光の様子を示す模式図である。
【図７】入射角αが３０°である場合の入射光の様子を示す模式図である。
【図８】入射角αが４５°である場合の入射光の様子を示す模式図である。
【図９】入射角αが６０°である場合の入射光の様子を示す模式図である。
【図１０】入射角が７５°である場合の入射光の様子を示す模式図である。
【図１１】受光部での受光量と入射光の入射角との関係を示す説明図である。
【図１２】入射面の形状を変化させた場合の受光部での受光量と入射光の入射角との関係を示す説明図である。
【図１３】レンズの周側部のテーパ角を小さくした場合の受光部での受光量と入射光の入射角との関係を示す説明図である。
【図１４】レンズの周側部のテーパ角を大きくした場合の受光部での受光量と入射光の入射角との関係を示す説明図である。
【発明を実施するための形態】
【００２０】
以下、本発明をその実施の形態を示す図面に基づいて説明する。図１は本実施の形態の照明装置１００の構成の一例を示す外観図である。以下では、本発明に係る電気機器の一例として照明装置について説明するが、電気機器は照明装置に限定されるものではない。また、以下の説明では、照明装置１００として、天井等の取付面に着脱可能に取り付けることができるシーリングライトを例として挙げるが、本実施の形態の照明装置１００は、シーリングライトに限定されるものではない。
【００２１】
図１に示すように、照明装置１００は、金属製（例えば、アルミニウム製）であって略矩形状のシャーシ１を備え、シャーシ１は天井等に取り付け、シャーシ１には、略矩形状であって光拡散性を有する透光カバー２を取り付けてある。透光カバー２の中央部には略矩形状であって着脱可能なセンタカバー３を取り付けてある。また、センタカバー３には、後述の受光ユニット４を設けてある。
【００２２】
受光ユニット４は、ワイヤレスリモートコントロールなどの遠隔操作端末装置（以下、「リモコン」とも称する）からの光（例えば、波長が９４０ｎｍ程度の赤外光）を受光し、リモコンでの操作に応じた光信号に基づいて照明装置１００の動作（点灯、消灯、調光、調色など）を制御させるためのものである。なお、受光ユニット４の取付位置は、図１の例に限定されるものではない。
【００２３】
図２は本実施の形態の照明装置１００の構成の要部一例を示す断面図である。照明装置１００は、シャーシ１、透光カバー２、センタカバー３等の他に、光源としてのＬＥＤモジュールを実装した実装基板６、ＬＥＤモジュールに電力を供給する電源部８などを備える。実装基板６上のＬＥＤモジュールからの光は透光カバー２を透過して外部へ放射される。シャーシ１の中央部には、照明装置１００を天井などの設置面に設置するための略円筒状の取付部材７を設けてある。天井面に固定された引掛けシーリング（不図示）に取付部材７を引掛けることにより、照明装置１００を天井面に設置することができる。
【００２４】
電源部８は、ＬＥＤモジュールに所要の電流を供給するための定電流回路を有するとともに、ＬＥＤモジュールに供給する電流を調整（調光）するためのＰＷＭ回路などの電流調整回路、後述の受光部２０から得られる制御信号に基づいて照明装置１００を制御する制御部としての制御回路などを有する。
【００２５】
ＬＥＤモジュールは、例えば、昼光色のＬＥＤモジュールであるが、電球色でもよく、あるいは両者の組み合わせでもよい。昼光色と電球色のＬＥＤモジュールを組み合わせ、それぞれのＬＥＤモジュールに流れる電流を調整することにより、調色機能を実現することができる。図２の構成は、一例であって、図２の例に限定されるものではない。例えば、ＬＥＤモジュールを実装した実装基板６の配置は、他の構成でもよい。
【００２６】
図３は図２の符号Ａで示す部分の要部拡大図である。図３に示すように、本実施の形態の受光ユニット４は、光を受光する受光部２０、及び受光部２０へ光を入射させるため受光部２０から適長離隔して配置された円錐台状のレンズ１０を備える。
【００２７】
センタカバー３に形成された円形状の開口部３１にレンズ１０と同寸法の開口を有する取付部材５を設けてあり、レンズ１０は取付部材５の開口に嵌合させて装着してある。また、受光部２０は、制御基板２１に実装してある。レンズ１０及び受光部２０は、それぞれの光軸が一致するように適長離隔して配置されている。なお、本実施例ではレンズ１０と受光部２０とが離隔して配置された例について説明するが、レンズ１０と受光部２０とは近接または当接させて配置してあってもよい。
【００２８】
受光部２０は、光検出器、該光検出器で出力した電圧を増幅する増幅器などを備え、リモコン（不図示）が送信した光（光信号）を受光し、受光した光（光信号）に含まれる制御信号（動作コマンド、数値データなど）を抽出して電源部８へ出力する。動作コマンドは、例えば、点灯、消灯、調光、調色などの動作を指定する指令であり、数値データは、タイマの時間設定、時刻設定の場合に時分を特定する情報である。
【００２９】
制御基板２１には、照度センサ２２を実装してある。照度センサ２２は、例えば、フォトトランジスタ、あるいはフォトダイオードを備え、検出した照度に応じた電気信号を電源部８へ出力する。電源部８は、照度センサ２２で検出した照度に応じて、ＬＥＤモジュールからの光の明るさを調整する。
【００３０】
制御基板２１には、受光部２０及び照度センサ２２それぞれの先端部を露出させるための開口を形成した基板カバー２３を取り付けてある。また、センタカバー３には、照度センサ２２へ外部の光を導くための開口部３２を形成してある。
【００３１】
図４は本実施の形態の受光ユニット４の配置を示す模式図である。受光ユニット４は、受光部２０と、受光部２０へ光を入射させるため受光部２０から適長離隔して配置された円錐台状のレンズ１０とを備える。図４に示すように、受光部２０の受光面２０１の中心に対して垂直かつ受光部２０の中心を通る光軸と後述するレンズ１０の入射面１１と出射面１２の中心を通るレンズ１０の光軸とが一致するようにレンズ１を受光部２０に対して配置する。
【００３２】
レンズ１０の材質は、例えば、ポリカーボネートなどの光の透過性に優れた透明の材料を用いることができる。レンズ１０の光の透過率は、例えば、９０％以上、光の屈折率は１．５８程度である。なお、レンズ１０の材質はポリカーボネートに限定されるものではなく、ＰＭＭＡ（メタクリル樹脂）、ＳＡＮ（スチレン・アクリロニトリル共重合樹脂）、ＰＳ（ポリスチレン樹脂）等の光学プラスチック、あるいはクラウン系、フリント系等の光学ガラスなどを用いてもよい。円錐台状のレンズ１０の受光部２０と反対側の上面は入射面１１としてあり、受光部２０側の底面は出射面１２としてある。入射面１１と出射面１２とは入射面１１の中心を通る垂線が出射面１２の中心に垂直な位置関係になるように対向している。レンズ１０は、側面に入射面１１から出射面１２に向かってテーパ状に拡径した周側部１３を備える。なお、レンズ１０の断面形状は円形に限らず、楕円形や六角形などの角形であってもよいが、出射面１２から所望の出射光を得るためには円形が最も好ましい。
【００３３】
レンズ１０の入射面１１の中心と受光部２０の先端に位置する受光面２０１の中心との離隔寸法は、例えば、７ｍｍ程度である。また、入射面１１の径は、例えば、５．６ｍｍ、出射面１２の径は８．０ｍｍである。また、レンズ１０の光軸方向の寸法は、例えば、５ｍｍ程度であるが、上述の各寸法はこれらの数値に限定されるものではない。
【００３４】
レンズ１０の入射面１１へ入射した光は、レンズ１０内部を通過して出射面１２から出射して受光部２０へ入射する。なお、レンズ１０の入射面１１に入射する光の方向とレンズ１０の光軸方向とのなす角を入射角αと称する。
【００３５】
周側部１３のテーパ角は、周側部１３の光軸方向に対する傾き角度である。具体的には、周側部１３の表面上の光軸方向に沿った線分と光軸とがなす角度であり、図４の符号βで示す角度である。
【００３６】
入射面１１は、凹面をなす。凹面は、例えば、円形状の入射面１１の径方向に沿って中心に向かって深さが深くなるような形状である。具体的には、本実施の形態において凹面は曲率を有する球面の一部をなすように形成されている。なお、入射面１１は、凹面でもよく、あるいは平坦面であってもよい。また、凹面の形状は球面の一部に限らず、例えばシリンドリカル、非球面（自由曲面）、フレネル形状、円錐等の入射面１１の中心が窪んだ他の形状であってもよい。
【００３７】
入射面１１が凹面をなす場合、又は平坦面をなす場合、いずれの場合でも、入射角αが大きい（例えば、３０°を超える）光がレンズ１０の入射面１１に入射したとき、入射光の周側部１３内面での入射角αは、周側部１３が入射面１１から出射面１２に向かって拡径するようにテーパ状をなすので、テーパがない場合に比べて周側部１３に対する光の入射角を大きくすることができ、レンズ１０に入射した光を周側部１３で全反射させることができる。すなわち周側部１３から光が出射されることを防止することができる。周側部１３で全反射した光は、レンズ１０の出射面１２を通過して受光部２０へ入射する。これにより、入射角αが大きな光が入射した場合でも入射光を受光部２０で受光させることができるので、従来であれば入射角αが３０°を超えた場合に受光部２０が光信号を受信可能な光量の光を受光することができず光信号の受信ができないのに対し、本実施によれば、光の入射角αを大きくしても受光部２０が光信号を受信可能な光量を出射面１２から出射させることが可能であるため光信号を受信することができる。
【００３８】
なお、入射面１１が平坦面をなす場合に比較して、凹面をなす場合の方が、入射角αが大きくなるに従って周側部１３への入射角が小さくなるので、入射面１１が凹面をなす場合において特に周側部１３がテーパ状に形成することが好ましい。
【００３９】
また、周側部１３がテーパ状をなすことで、出射面１２への入射角を小さくすることができる。具体的には、上記特許文献１に記載の従来の受光ガイドのように外表面にテーパが形成されておらず平行な筒状をなす場合、受光レンズへの入射角が大きくなると、受光ガイドの外表面で反射する角度が小さくなるため出射面で全反射が起こり出射されず、光が受光レンズへ戻る方向へ進行するが、本実施の形態のように周側部１３がテーパ状をなすことにより周側部１３で反射する角度が大きくなるので、周側部１３で全反射した光が出射面１２へ入射する角度を小さくすることができる。これにより、出射面１２に入射した光が全反射することを防止して、確実に出射面１２から光を出射させて受光部２０へ導くことが可能となる。従って、入射面１１への光の入射角を大きくした場合であっても受光部２０は光信号を受信することができる。
【００４０】
次に、レンズ１０に入射した入射光が、入射角αに応じて受光部２０へどのように導かれるかについて説明する。
【００４１】
図５は入射角αが０°である場合の入射光の様子を示す模式図である。図５Ａは本実施の形態の場合を示し、図５Ｂは比較例として従来の場合を示す。比較例では、受光部の前方に透明の透過板を設けている。図５Ａに示すように、入射角α＝０°の場合には、入射光はレンズ１０を透過して受光部２０へ入射する。レンズ１０により、入射光は光軸方向に対して外側に若干広がるように進行方向を変えるので、一部の光は受光部２０で受光されず受光部２０の周辺近傍へ伝わる。また、図５Ｂに示すように、従来の場合も、入射光は受光部へ入射する。すなわち、入射角α＝０°の場合には、比較例の場合も本実施の形態と同様に受光部で受光することができる。
【００４２】
図６は入射角αが１５°である場合の入射光の様子を示す模式図である。図６Ａに示すように、入射角α＝１５°の場合には、受光部２０で受光されず受光部２０の周辺近傍へ伝わる入射光の量が若干増加するので、受光部２０で受光することができる受光量は入射角α＝０°の場合に比べて減少する。また、図６Ｂに示すように、従来の場合も、受光部で受光することができる入射光の量が減少する。すなわち、入射角α＝１５°の場合には、受光部で受光することができる受光量は減少するものの、比較例の場合も本実施の形態と同様に受光部で受光することができる。なお、従来例において、受光部前方に設けられた透過板に入射した光は、入射角の角度と同じ角度の出射角で透過板から出射されるものとする。
【００４３】
図７は入射角αが３０°である場合の入射光の様子を示す模式図である。図７Ａに示すように、入射角α＝３０°の場合には、破線で示すように、入射光の一部は、レンズ１０の周側部１３で全反射し、全反射した入射光が出射面１２を通過して受光部２０へ入射する。また、図７Ｂに示すように、従来の場合には、入射角αが増加したため、受光部で受光することができる入射光の量が急激に減少する。このため、従来の場合では、入射光の入射角αが３０°を超えた場合、受光部で受光する光量が光信号を受信可能な光量を下回るため、光信号を受信することができない。本実施の形態の場合には、レンズ１０の周側部１３で入射光を全反射させて受光部２０へ導く。また、光を送信するリモコンに近い側の入射面１１の半面（図７の入射面１１の上側半面）に入射した光は光軸とのなす角度が小さくなる方向に屈折するため、出射面１２からの出射角が小さくなり、受光部２０に導かれる方向に出射される。これにより、受光量の低下を抑制することができる。
【００４４】
図８は入射角αが４５°である場合の入射光の様子を示す模式図である。図８に示すように、入射角αが４５°になると、入射角αが３０°の場合に比較してレンズ１０の周側部１３で全反射して受光部２０で受光することができる入射光がさらに多くなる。これは、入射角αが増大することで、光を送信するリモコンから遠い側の入射面１１の半面（図８の入射面１１の下側半面）に入射した光が屈折して周側部１３に入射する光量が増加するためである。また、入射面１１を凹面に形成することにより、入射面が平坦面である場合に比較して入射面１１に入射した光をより周側部１３側に向かう方向に屈折することができるため周側部１３に入射する光量を増加させることができる。すなわち、周側部１３で全反射せず出射面１２から抜けて受光部２０の周辺近傍へ伝わる光を低減することができる。図８において、破線で示す入射光が周側部１３で全反射して受光部２０で受光される。一方、従来の場合には、図７で例示したとおり、入射角αが３０°を超えると受光部で光信号を受信することができない。
【００４５】
図９は入射角αが６０°である場合の入射光の様子を示す模式図である。図９に示すように、入射角αが６０°になると、入射角αが４５°である場合と同様に、レンズ１０の周側部１３で入射光を全反射させて受光部２０へ入射させることができるものの、レンズ１０を透過し、受光部２０で受光されず受光部２０の周辺近傍へ伝わる入射光が増加するので、受光部２０での受光量は若干減少する傾向になる。
【００４６】
図１０は入射角αが７５°である場合の入射光の様子を示す模式図である。図１０に示すように、入射角αが７５°になると、レンズ１０の周側部１３で全反射した入射光の一部が、受光部２０で受光されず受光部２０の周辺近傍へ伝わるので、受光部２０での受光量は若干減少する傾向になる。
【００４７】
上述の図５から図１０の例は、入射光の進行の様子を模式的に示したものであり、入射光の様子は、レンズ１０の寸法、レンズ１０と受光部２０との離隔寸法などにより若干変化する。
【００４８】
図１１は受光部２０での受光量と入射光の入射角αとの関係を示す説明図である。図１１において、横軸は入射光の入射角αであり、縦軸は受光部２０での受光量を示す。符号×で示すグラフは、本実施の形態のレンズ１０ありの場合を示し、符号四角で示すグラフは、レンズ１０なしの場合（従来の透過板を具備する場合）を示す。なお、レンズ１０の入射面は凹面をなす。また、レンズ１０の周側部１３のテーパ角β＝１３．５°とする。また、縦軸の受光量は、レンズ１０ありの場合の入射角α＝０°のときの受光量を１．０とした相対値である。
【００４９】
図１１に示すように、本実施の形態のレンズ１０を具備しない従来例（比較例）の場合には、入射光の入射角αが３０°を超えると、受光部での受光量が０となり、全く受光することができない。仮にリモコンから送信する光信号の強度を増加させたとしても、受光部で光を受光することができない。このため、従来例では、入射光の入射角αを大きく（例えば、３０°より大きく）した場合に光信号を受信することができない。
【００５０】
これに対して、本実施の形態では、レンズ１０を具備し、レンズ１０の周側部１３にテーパ角を設けてあるので、入射角αが０°から７５°まで変化した場合でも、受光部２０での受光量が変動するものの、受光量が０になることはない。すなわち、入射角αを０°から７５°まで変化させたときの受光量の最小値が許容値以上になるようにリモコンから送信する光信号の強度を増加させることにより、入射角αが大きな光が入射した場合でも入射光を受光部２０で受光させて照明装置などの電気機器を制御することができるので、従来に比べて光の入射角αを大きくしたとしても光信号を受信することができる。
【００５１】
図１２は入射面１１の形状を変化させた場合の受光部２０での受光量と入射光の入射角αとの関係を示す説明図である。符号×で示すグラフは、本実施の形態のレンズ１０の入射面１１に凹面を形成した場合を示し、符号三角で示すグラフは、本実施の形態のレンズ１０の入射面１１が平坦面（凹面なし）である場合を示す。図１２に示すように、レンズ１０の入射面に凹面がない場合には、入射角αが４５°、６０°において、受光量が減少する。しかし、受光量は０にならないので、レンズ１０の入射面１１に凹面を形成した場合と同様に、入射角αが大きな光が入射した場合でも入射光を受光部２０で受光させることができるので、従来に比べて光の入射角αを大きくしたとしても光信号を受信することができる。
【００５２】
入射面１１が凹面でなく平坦面である場合、入射角αが４５°近傍で入射光がレンズ１０の周側部１３へ入射せずに出射面１２から直接レンズ１０外へ出射し受光部２０へ入射させることができない。入射面１１を凹面にすることにより、入射角αが４５°近傍である場合でも入射面１１へ入射した光を光軸とのなす角度が大きくなる方向に屈折させることで周側部１３へ導いて周側部１３で全反射させて受光部２０へ入射させることができる。入射角αが６０°近傍の場合も同様である。
【００５３】
また、入射面１１を凹面にすることにより、入射面１１が平坦面である場合に比べてフレネル反射によるレンズの入射面１１での反射率の増加を抑制することができ、結果として受光部２０に到達する受光量を多くすることができる。また、入射面１１が凹面であるので、レンズ１０の入射面１１に入射した入射光がレンズ１０の出射面１２から出射する方向を光軸に対して外側方向に広げることができ、例えば、レンズ１０と受光部２０との光軸のずれ、あるいはレンズ１０と受光部２０との取付間隔などの取付誤差が生じてもレンズ１０から出射する出射光を受光部２０へ入射させることができるので、前述の取付誤差に対する許容度が高くなり、装置の機械的設計が容易になる。
【００５４】
図１３はレンズ１０の周側部１３のテーパ角βを小さくした場合の受光部２０での受光量と入射光の入射角αとの関係を示す説明図であり、図１４はレンズ１０の周側部１３のテーパ角βを大きくした場合の受光部２０での受光量と入射光の入射角αとの関係を示す説明図である。なお、図１３および図１４に示す例において入射面１１は凹面が形成されている。図１３において、符号×は周側部１３のテーパ角βが１３．５°である場合を示し、符号三角は周側部１３のテーパ角βが１０．８°である場合を示し、符号丸は周側部１３のテーパ角βが８．０°である場合を示す。また、図１４において、符号×は周側部１３のテーパ角βが１３．５°である場合を示し、符号三角は周側部１３のテーパ角βが１６．２°である場合を示し、符号丸は周側部１３のテーパ角βが１８．８°である場合を示す。
【００５５】
図１３に示すように、周側部１３のテーパ角βを１３．５°から小さくした場合、入射角αが３０°での受光量は、周側部１３で全反射する入射光が増加するので増加する。入射角αが６０°以上の場合、レンズ１０の出射面１１での全反射分が増加するので、受光量は減少する。
【００５６】
また、図１４に示すように、周側部１３のテーパ角βを１３．５°から大きくした場合、入射角αが４５°において、周側部１３で全反射した入射光が受光部２０に到達することができず、受光量が減少する。しかし、入射角αが６０°以上の場合、周側部１３で全反射した入射光が受光部２０に到達することができ、受光量が増加する。
【００５７】
テーパ角βが８°より小さい場合には、レンズ１０の出射面１２で全反射する光が増加するので、受光部２０へ入射する光が減少する。また、テーパ角βが１９°より大きい場合には、レンズ１０の周側部１３で全反射した光の一部が出射面１２から受光部２０の方向と異なる方向へ出射するので、受光部２０へ入射する光が減少する。レンズ１０の周側部１３のテーパ角βは、８°から１９°の範囲内にすることにより、受光部２０へ入射する光量の低下を抑制することができる。
【００５８】
上述のとおり、本実施の形態では、レンズ１０への入射角、例えば、シーリングライトなどの照明装置のリモコンの受光角を大きくする（広げる）ことができる。すなわち、入射角（受光角）が０°から７５°の範囲であっても、受光部２０での受光量が０にならず入射光を受光することができる。このことは、ルビングルームの天井面に設置された照明装置に対して、凡そ目の高さの位置からリモコンを操作した場合、リビングルームのどこに居てもリモコンからの信号を受光することができる。
【００５９】
上述の実施の形態では、シーリングライトとしての照明装置について説明したが、照明装置は、シーリングライトに限定されるものでなく、他の照明装置であってよい。また、光源としてＬＥＤモジュールを備える照明装置について説明したが、光源はＬＥＤモジュールに限定されるものではなく、ＥＬ（Electro-Luminescence）など他の光源でもよい。
【００６０】
また、本実施の形態の受光ユニット４は、照明装置のみならず、リモコンからの信号で動作を制御する制御部を備えるものであれば、エアコンなどの空調機、空気清浄器、ＴＶなどの表示装置、ＤＶＤレコーダなどの映像機器、音響機器など、他の電気機器にも適用することができる。
【符号の説明】
【００６１】
１  シャーシ
２  透光カバー
３  センタカバー
４  受光ユニット
１０  レンズ
１１  入射面
１２  出射面
１３  周側部
２０  受光部
２０１  受光面
【図１】
2013016639.tif 000003
【図２】
2013016639.tif 000004
【図３】
2013016639.tif 000005
【図４】
2013016639.tif 000006
【図５】
2013016639.tif 000007
【図６】
2013016639.tif 000008
【図７】
2013016639.tif 000009
【図８】
2013016639.tif 000010
【図９】
2013016639.tif 000011
【図１０】
2013016639.tif 000012
【図１１】
2013016639.tif 000013
【図１２】
2013016639.tif 000014
【図１３】
2013016639.tif 000015
【図１４】
2013016639.tif 000016